(57)【要約】【課題】上演舞台上での利用に好適なフレキシブル発光装置等を提供することを目的とする。【解決手段】光を透過するロープチューブの長手方向に所定の間隔で把持された複数の発光部と、発光部の発光を各々制御する発光制御部と、を備えるフレキシブル発光装置とする。また、所定の一方向に対してロープチューブから光放射をしないように遮光する遮光部を備えるフレキシブル発光装置としてもよい。さらに、舞台上に配置された場合に、舞台上の上演者がフレキシブル発光装置の長手方向における距離を把握できるように、発光制御部が所定の等しい距離ごとに発光部を発光させるフレキシブル発光装置としてもよい。【選択図】図１
2010257626.tif 000002
【特許請求の範囲】
【請求項１】
光を透過するロープチューブの長手方向に所定の間隔で把持された複数の発光部と、
前記発光部の発光を各々制御する発光制御部とを備える
ことを特徴とするフレキシブル発光装置。
【請求項２】
請求項１に記載のフレキシブル発光装置において、
所定の一方向に対して前記ロープチューブから光放射をしないように遮光する遮光部を備える
ことを特徴とするフレキシブル発光装置。
【請求項３】
請求項１または請求項２に記載のフレキシブル発光装置において、
前記ロープチューブが舞台上に配置された場合に、舞台上の上演者が前記ロープチューブの長手方向における距離を把握できるように、前記発光制御部が、所定の等しい距離ごとに前記発光部を発光させる
ことを特徴とするフレキシブル発光装置。
【請求項４】
請求項１または請求項２に記載のフレキシブル発光装置において、
前記ロープチューブが舞台上に配置された場合に、舞台上の上演者が前記フレキシブル発光装置の長手方向における自らの立ち位置を視認できるように、前記発光制御部は、舞台上の前記上演者の立ち位置に対応する前記発光部を発光させる
ことを特徴とするフレキシブル発光装置。
【請求項５】
請求項１乃至請求項４のいずれか一項に記載のフレキシブル発光装置において、
前記発光部は各々任意の色での発光が可能なように、赤色と緑色と青色との３つの発光素子を備える
ことを特徴とするフレキシブル発光装置。
【請求項６】
舞台上の長手方向に上演者から視認可能に載置されたフレキシブル発光装置において、
前記上演者が前記舞台上の長手方向における距離を把握可能なように、所定の等距離間隔で前記フレキシブル発光装置の発光部を点灯させる
ことを特徴とするフレキシブル発光装置の発光制御方法。
【請求項７】
舞台上の長手方向に上演者から視認可能に載置されたフレキシブル発光装置において、
前記上演者に前記舞台上の長手方向におけるシナリオ上の立ち位置を逐次通知可能なように、前記上演者のシナリオ上の立ち位置に対応する前記フレキシブル発光装置の発光部を、上演の進行に対応して順次点灯させる
ことを特徴とするフレキシブル発光装置の発光制御方法。
【請求項８】
請求項７に記載のフレキシブル発光装置の発光制御方法を、前記フレキシブル発光装置の発光制御部に実行させるためのプログラム。
【発明の詳細な説明】
【技術分野】
【０００１】
本発明は、フレキシブル発光装置とフレキシブル発光装置の発光制御方法とそのプログラムとに関する。
【背景技術】
【０００２】
道路などの工事をする場合に、夜間における工事箇所を明示して車両や歩行者の安全を図る目的で、各種の発光標示体が用いられる。例えば、比較的長い距離にわたって工事区間や危険箇所を標示する場合には、いわゆる工事用ロープチューブと称される自発光標示体が用いられる。
【０００３】
工事用ロープチューブは、透光性と可撓性とを有する合成樹脂製のチューブ内に電源コードを挿通させる。そして、チューブ内の電源コードに沿って発光ダイオード等の光源を適当な間隔で挿入配置する。
【０００４】
工事用ロープチューブは、電源コードから供給される電力により光源を点滅させる。したがって、工事用ロープチューブを、例えば道路の工事現場などに設けられた仕切りフェンス等に延伸して係止する等により、工事区域を標示することができる。
【０００５】
このような工事用ロープチューブは、コーンなどのように単独で設置される標示体を多数配置する場合に比べ、設置並びに保管が簡単で安価に提供される。したがって、比較的長い距離にわたる工事区間などを標示する場合に多用される。また、コード状・ひも状であることから、巻回させた状態で運搬並びに保管することができるので利便性が高い。
【０００６】
また、長尺のシート状を呈する帯体に長さ方向に間隔を有して複数の発光ダイオードが並設してなる列状光源を具備した発光標示体が、下記特許文献１に開示されている。この発光標示体は、帯体の幅方向にも発光ダイオードを並べることができることから、優れた視認性を発揮することができるとされ、高い視認性が必要とされる高速走行車両からでも、確実に発光状態を確認できるとされている。。
【０００７】
工事用ロープチューブを典型例とするロープ状または帯状のフレキシブル発光装置は、取り扱いの容易さと保管の簡便さとから工事現場以外での利用が期待される。また、発光ダイオードを典型例とする光源の輝度向上が近年特に著しいことからも、工事現場以外での照明等への利用が期待されるところである。
【先行技術文献】
【特許文献】
【０００８】
【特許文献１】特開２００６−０２８８９５
【発明の概要】
【発明が解決しようとする課題】
【０００９】
フレキシブル発光装置に好適な用途として、例えばイベント上演の舞台上での利用が考えられる。上演者は、舞台上のどの位置に立つべきか等位置関係を、舞台長手方向に配置されたフレキシブル発光装置の発光位置を基準として認識することができる。
【００１０】
舞台、特に特設会場のようなイベント舞台においては、舞台形状や舞台大きさがイベントごとに異なり定型ではない。このため、上演者が舞台上の立ち位置を正確に把握することが困難な場合が生じる。
【００１１】
上演者が舞台上のフレキシブル発光装置を視認して、自らの舞台上位置関係を認識するために必要な発光装置は未だ発案されておらず、また観客席に着座した観客からは見えないように、客席への遮光対応を考慮したフレキシブル発光装置も発案されていなかった。
【００１２】
本発明は、上述の問題点に鑑み為されたものであり、上演舞台上での利用に好適なフレキシブル発光装置等を提供することを目的とする。
【課題を解決するための手段】
【００１３】
本発明にかかるフレキシブル発光装置は、光を透過するロープチューブの長手方向に所定の間隔で把持された複数の発光部と、発光部の発光を各々制御する発光制御部と、を備えることを特徴とする。
【００１４】
また、本発明にかかるフレキシブル発光装置は、好ましくは所定の一方向に対してロープチューブから光放射をしないように遮光する遮光部を備えてもよい。
【００１５】
また、本発明にかかるフレキシブル発光装置は、さらに好ましくはロープチューブが舞台上に配置された場合に、舞台上の上演者がロープチューブの長手方向における距離を把握できるように、発光制御部が所定の等しい距離ごとに発光部を発光させてもよい。
【００１６】
また、本発明にかかるフレキシブル発光装置は、さらに好ましくはロープチューブが舞台上に配置された場合に、舞台上の上演者がフレキシブル発光装置の長手方向における自らの立ち位置を視認できるように、発光制御部が舞台上の上演者の立ち位置に対応する発光部を発光させてもよい。
【００１７】
また、本発明にかかるフレキシブル発光装置は、さらに好ましくは発光部が、各々任意の色での発光が可能なように、赤色と緑色と青色との３つの発光素子を備えてもよい。
【００１８】
また、本発明にかかるフレキシブル発光装置の発光制御方法は、舞台上の長手方向に上演者から視認可能に載置されたフレキシブル発光装置において、上演者が舞台上の長手方向における距離を把握可能なように、所定の等距離間隔でフレキシブル発光装置の発光部を点灯させることを特徴とする。
【００１９】
また、本発明にかかるフレキシブル発光装置の発光制御方法は、舞台上の長手方向に上演者から視認可能に載置されたフレキシブル発光装置において、上演者に舞台上の長手方向におけるシナリオ上の立ち位置を逐次通知可能なように、上演者のシナリオ上の立ち位置に対応するフレキシブル発光装置の発光部を、上演の進行に対応して順次点灯させることを特徴とする。
【００２０】
また、本発明にかかるプログラムは、上述のフレキシブル発光装置の発光制御方法を、フレキシブル発光装置の発光制御部に実行させるためのプログラムである。
【発明の効果】
【００２１】
上演舞台上での利用に好適なフレキシブル発光装置等を提供できる。
【図面の簡単な説明】
【００２２】
【図１】第一の実施形態にかかるフレキシブル発光装置の構成概念を説明する図である。
【図２】フレキシブル発光装置の断面を示す概念構成図である。
【図３】フレキシブル発光装置を舞台の辺縁部に配置した状態を説明する概念図である。
【図４】第二の実施形態にかかるフレキシブル発光装置の発光状態を説明する概念図である。
【図５】発光スケールの距離Ｌや発光時間、点滅有無等の各種発光制御を、予め設定記憶しておくことができる発光制御部の構成を概念的に説明する図である。
【図６】（ａ）は、フレキシブル発光装置を間接照明として舞台上で用いる利用形態を説明する概念図である。（ｂ）は、ＲＧＢの三つの発光素子を備える発光ダイオードを説明する概念構成図である。
【発明を実施するための形態】
【００２３】
実施形態で説明するフレキシブル発光装置は、典型的にはロープチューブの中に挿入された複数の発光ダイオードと、複数の発光ダイオードを個々に発光制御する発光制御部とを備える。
【００２４】
発光ダイオードは、単色発光のみまたは白色発光の構成としてもよいが、任意の発光色で発光調整が可能なように、ＲＧＢ３色からなる発光ダイオードとしてもよい。このフレキシブル発光装置は、ロープチューブ状であるので移動や保管、設営や撤収の作業性に極めて優れている。
【００２５】
このため、会場の移動を前提とするイベント会場や舞台等での使用に好適である。フレキシブル発光装置は、典型的には舞台と客席との境界部分に沿う舞台上の辺縁部等に、舞台上の上演者から視認可能に、延伸した状態で配置する。
【００２６】
フレキシブル発光装置の発光制御部は、舞台上で上演する場合に、例えば５０センチメートルの等間隔ごとに発光ダイオードを発光させる。舞台上の上演者は、フレキシブル発光装置の発光を手掛かりとして、舞台長手方向の距離を認識し、自分の立ち位置を確認することが可能となる。すなわち、フレキシブル発光装置は、舞台上においてスケールの機能を発揮し、夜間でも昼間でも良好に視認可能である。
【００２７】
種々の場所で開催されるイベント会場においては簡易的に会場設営し、イベントが終了すれば速やかに撤収作業を行う必要があることから、フレキシブル発光装置を活用する利便性は大きい。
【００２８】
また、フレキシブル発光装置は、観客席側に発光ダイオードの光が放射されないように、ロープチューブの観客側略半周に遮光材を備える。また、フレキシブル発光装置は、舞台上での上演進行に合わせて、上演者の立ち位置を経時的にガイドする発光をしてもよい。
【００２９】
所定のシナリオに従った上演者の立ち位置をあらかじめプログラムとして発光制御部に記憶させておけば、フレキシブル発光装置は、現実の上演時に上演者に対して立ち位置のガイド光を通知できる。
【００３０】
この場合に、例えば複数の上演者に対して、各々異なる発光色のガイド光とすれば、フレキシブル発光装置は、舞台上の複数の上演者に対して個々に立ち位置を通知可能となる。このため、グループでの踊り、演劇、ダンス、各種パフォーマンス等をする場合においても、フレキシブル発光装置は、舞台上で理想的な上演者の配置をガイドすることが可能となる。
【００３１】
また、フレキシブル発光装置を壁や床等に向けて発光させることで、イベント会場での間接照明として利用してもよい。
【００３２】
（第一の実施形態）
図１は、第一の実施形態にかかるフレキシブル発光装置１００の構成概念を説明する図である。図１に示すようにフレキシブル発光装置１００は、塩化ビニル等からなるロープチューブ１１０と、ロープチューブ１１０の中に列状に等間隔（例えば１センチメートル）で装填された複数の発光ダイオード１２０（１），１２０（２），１２０（３），１２０（４），・・・，１２０（ｎ）（以下、適宜発光ダイオード１２０と称する。以下これに倣う）とを備える。また、ロープチューブ１１０は、例えば２０メートル程度の長さとしてもよい。
【００３３】
また、フレキシブル発光装置１００は、発光ダイオード１２０の発光を制御する発光制御部１３０を備える。また、発光制御部１３０には、駆動電源１４０が接続される。図１では、発光制御部１３０がロープチューブ１１０に装填されない形態で示したが、より小型軽量の発光制御部１３０としてこれをロープチューブ１１０内に装填してもよい。
【００３４】
また、発光制御部１３０は、複数の発光ダイオード１２０（１），１２０（２），１２０（３），１２０（４），・・・，１２０（ｎ）の発光強度、発光色、発光時間間隔、点滅等の発光制御を個々に制御するため、発光ダイオード１２０（１），１２０（２），１２０（３），１２０（４），・・・，１２０（ｎ）ごとにロープチューブ１１０内等に備えることとしてもよい。
【００３５】
ロープチューブ１１０は防水・防塵機能を発揮する透明な素材が用いられ、発光ダイオード１２０を保護する柔軟な被覆材となる。フレキシブル発光装置１００は、保管時や移動時には任意の径で巻回され、イベント会場において舞台上に延伸して配置される。
【００３６】
図２は、フレキシブル発光装置１００の断面を示す概念構成図である。図２に示すように、フレキシブル発光装置１００は、フレキシブル発光装置１００から放射されるガイド光が舞台上の上演者２１０に視認され、観客席に着座する観客２２０には視認できないように遮光する遮光部１１１を備える。典型的には遮光部１１１は、ロープチューブ１１０の観客２２０側の外周略半周に設けられる。
【００３７】
遮光部１１１により、イベントの上演雰囲気を損なうことなく上演者へのガイド、スケール標示および間接照明等が可能となる。
【００３８】
図３は、フレキシブル発光装置１００を舞台３１０の辺縁部３１１に配置した状態を説明する概念図である。フレキシブル発光装置１００は、所定の等間隔Ｌごとに発光ダイオード１２０（３），１２０（６），１２０（９），１２０（１２），・・，１２０（ｎ−２），１２０（ｎ−１），１２０（ｎ）を発光させる。
【００３９】
発光ダイオード１２０の放射光は、上演者２１０（１），２１０（２），２１０（３）から視認可能であり、各上演者２１０はフレキシブル発光装置１００の発光間隔をスケールとして舞台長手方向の距離感を把握し、自らの立ち位置や舞台配置等を認識できる。
【００４０】
一方、図３において観客２２０（１），２２０（２），２２０（３），・・，２２０（ｎ）は、上述した遮光部１１１によりフレキシブル発光装置１００の発光を視認できない。このように舞台上に発光スケールを標示すれば、暗闇の中でも距離や位置が確認できるので、上演者のみならず幕間等における舞台装置の配置換え時の位置確認等にも有効である。
【００４１】
図５は、発光スケールの距離Ｌや発光時間、点滅有無等の各種発光制御を、予め設定記憶しておくことができる発光制御部１３０の構成を概念的に説明する図である。図５（ａ）において、舞台監督等により距離入力部５１０から入力された距離Ｌは、発光制御部１３０（ａ）に一時記憶される。
【００４２】
発光制御部１３０（ａ）は、発光ダイオード１２０の発光間隔が一時記憶した距離Ｌとなるように、現実に発光させる発光ダイオード１２０を算出して選択する発光対象発光部算出部５２０を備える。
【００４３】
また、図５（ａ）に示すように発光制御部１３０（ａ）は、発光対象発光部算出部５２０が選択した発光対象となる発光ダイオード１２０に対して通電制御する通電制御部５３０を備える。
【００４４】
（第二の実施形態）
図４は、第二の実施形態にかかるフレキシブル発光装置１００の発光状態を説明する概念図である。図４において、図３で既に説明した構成については、説明の重複を避けるためにここでは説明を省略する。
【００４５】
図４に示すように、フレキシブル発光装置１００は、各上演者２１０の立ち位置について上演の進行に対応させて経時的に順次ガイド光を放射する。すなわち、図４においてフレキシブル発光装置１００は、上演者２１０（１）のある時点における立ち位置に対応する発光ダイオード１２０（５）を点灯させる。また、フレキシブル発光装置１００は、上演者２１０（２）のある時点における立ち位置に対応する発光ダイオード１２０（１０）を点灯させる。フレキシブル発光装置１００は、上演者２１０（３）のある時点における立ち位置に対応する発光ダイオード１２０（２０）を点灯させる。
【００４６】
上演の内容と進行とは予めシナリオ等により定められているので、シナリオに基づいて上演者２１０の立ち位置をガイドする光を上演進行に対応して放射するように、フレキシブル発光装置１００が予めプログラムされる。
【００４７】
この場合に、フレキシブル発光装置１００は、発光ダイオード１２０（５），１２０（１０），１２０（２０）の発光色を互いに異なる色として発光させることが好ましい。例えば、上演者２１０（１），２１０（２），２１０（３）ごとに予め異なる発光色を定めておけば、複数の上演者２１０が舞台上で複雑に交錯する動作をする場合においても、ガイド光の誤認・混同を回避して正確な立ち位置を確認可能となる。
【００４８】
第二の実施形態においては、フレキシブル発光装置１００が複数の上演者２１０各自に対して正確な立ち位置をガイドできるので、全体的に整然として統一のとれた美しい舞台上演をすることも可能となる。特に、上演者がイベント設営された舞台に十分に慣れていない場合や、複数の上演者が整列したり人文字を形成したりする場合にも有効である。
【００４９】
図５は、発光スケールの距離Ｌや発光時間、点滅有無等の各種発光制御を、予め設定記憶しておくことができる発光制御部１３０の構成を概念的に説明する図である。図５（ｂ）において、舞台監督等により予め入力された上演シナリオに対応するガイドプログラムは、発光制御部１３０（ｂ）が備える上演対応動的発光位置記憶部５４０に一時記憶される。
【００５０】
上演対応動的発光位置記憶部５４０は、フラッシュメモリ等で書き換え可能に構成されたプログラム記憶部である。また、発光制御部１３０（ｂ）は、発光ダイオード１２０の発光がガイドプログラムに従った発光となるように、ある時点で発光させる発光ダイオード１２０に対して通電制御する通電制御部５３０を備える。
【００５１】
フレキシブル発光装置１００は、発光ダイオード１２０個々に対してより正確に発光制御をするために、発光ダイオード１２０個々毎に独立した配線を備えてもよい。この場合には、通電制御部５３０は、発光ダイオード１２０個々に接続された配線を介して、発光対象となる発光ダイオード１２０を上演に対応させて順次発光させることができる。また、フレキシブル発光装置１００は、発光ダイオード１２０個々毎に専用の通電制御部５３０を備えてもよい。
【００５２】
（第三の実施形態）
図６（ａ）は、フレキシブル発光装置１００（２）を間接照明として舞台上で用いる利用形態を説明する概念図である。第三の実施形態においては、第一の実施形態と第二の実施形態とで既に説明した構成については、対応する符号を伏して説明の重複を避けるためにここではその説明を省略する。
【００５３】
フレキシブル発光装置１００（２）は、舞台上の壁６１０に隣接して配置される。また、フレキシブル発光装置１００（２）は、壁６１０に向けて照明光を放射する。これにより、典型的には上演者２１０の背景等の間接照明が可能となり、フレキシブル発光装置１００（２）は、舞台演出の雰囲気を醸成する一助となる。
【００５４】
間接照明の位置や照明対象は、フレキシブル発光装置１００（２）と壁６１０との配置を適宜変更することで任意に設定可能である。また、壁６１０の大きさはフレキシブル発光装置１００（２）からの放射光を反射する程度の大きさであればよく、適宜変更することが可能である。例えば、舞台の辺縁部３１１等に観客の鑑賞の妨げにならない程度の小さな壁６１０を設け、これに向けてフレキシブル発光装置１００（２）の照明光を放射させ、上演者２１０の観客席側を間接照明させることもできる。
【００５５】
なお、各実施形態で説明した構成と動作とは、開示した技術思想の範囲内で適宜組み合わせて用いることができる。例えば、第一の実施形態および第二の実施形態で説明した上演者２１０への通知を、第三の実施形態で説明した間接光により行ってもよい。
【００５６】
図６（ｂ）は、ＲＧＢの三つの発光素子１２０１，１２０２，１２０３を備える発光ダイオード１２０６を説明する概念構成図である。発光ダイオード１２０６は、上述した発光ダイオード１２０として用いることができ、発光制御部１３０は、赤色の発光素子１２０１と緑色の発光素子１２０２と青色の発光素子１２０３との各々について発光強度を個別に調節可能である。
【００５７】
これにより、フレキシブル発光装置１００は、発光ダイオード１２０６毎に任意の発光色で発光させることができる。また、照明として用いる場合等には、フレキシブル発光装置１００は、全体として所望の色の照明色を放射することが可能となる。
【００５８】
このため舞台長手方向に略直線状に延伸配置されたフレキシブル発光装置は、所定の間隔ごとに点灯させることでスケールとして用いることが可能となる。
【００５９】
イベント上演は、イベント会場での舞台設営や撤収、イベント会場の移動をする場合に、舞台装置器具の運搬容易性や保管容易性が要求される。この点で、フレキシブル発光装置は、好適である。
【００６０】
発光ダイオード１２０に代えて電球やＥＬ素子（Electro  Luminescence  Devices）を用いてもよい。また、発光制御部１３０は、マイクロコンピュータ等小型の演算装置で構成することができるが、例えばワークステーションやパーソナルコンピュータ等の比較的大型の演算装置を用いてもよい。
【００６１】
各実施形態で説明したフレキシブル発光装置１００等は、上述の構成と動作と利用形態等とに限定されることはなく、自明な範囲で適宜構成と動作等とを変更して用いることができる。
【産業上の利用可能性】
【００６２】
本発明は、仮設舞台やイベント舞台上での上演者への立ち位置ガイドや舞台の間接照明に利用できる。
【符号の説明】
【００６３】
１００・・フレキシブル発光装置、１１０・・ロープチューブ、１２０・・発光ダイオ−ド、１３０・・発光制御部、１４０・・駆動電源。
【図１】
2010257626.tif 000003
【図２】
2010257626.tif 000004
【図３】
2010257626.tif 000005
【図４】
2010257626.tif 000006
【図５】
2010257626.tif 000007
【図６】
2010257626.tif 000008
【手続補正書】
【提出日】平成21年4月25日(2009.4.25)
【手続補正１】
【補正対象書類名】図面
【補正対象項目名】全図
【補正方法】変更
【補正の内容】
【図１】
2010257626.tif 000009
【図２】
2010257626.tif 000010
【図３】
2010257626.tif 000011
【図４】
2010257626.tif 000012
【図５】
2010257626.tif 000013
【図６】
2010257626.tif 000014